(57)【特許請求の範囲】
【請求項１】
電磁誘導方式又は電磁結合方式により近距離無線通信するループアンテナと、
前記ループアンテナの両端に接続され、静電結合方式により通信し、導電性を有する一対の導電プレートとを備えていること、
を特徴とするカード。
【請求項２】
請求項１に記載のカードにおいて、
前記ループアンテナ及び導電プレートは、カード表面を法線方向から見たときに、重複するように配置されており、
このカードの厚み方向において、前記ループアンテナ及び前記導電プレート間に設けられ、カード表面を法線方向から見たときに、前記ループアンテナの少なくとも一部を覆うように配置された磁性体層を備えること、
を特徴とするカード。
【請求項３】
電磁誘導方式又は電磁結合方式で通信可能なＩＣカードＩＣチップと、前記ＩＣカードＩＣチップに接続され、導電性を有する一対のＩＣカードプレートとを備えるＩＣカードと、
電磁誘導方式又は電磁結合方式により近距離無線通信で信号伝達する通信装置側ループアンテナと、
前記ＩＣカードＩＣチップとの間で通信処理をする制御部とを備える電磁誘導通信装置と
の間に介在される請求項１又は請求項２に記載のカードである中継カードであって、
前記ループアンテナである中継ループアンテナと、
前記一対の導電プレートである一対の中継プレートとを備え、
利用者によって、前記ＩＣカードを前記中継カード上の所定の位置に重ねられた組みカード状態で、前記ＩＣカードプレート及び前記中継プレートが対向し、前記組みカードが前記中継ループアンテナ及び前記通信装置側ループアンテナが対向するように前記電磁誘導通信装置に近接されることにより、前記ＩＣカードプレート及び前記中継プレートが静電結合方式で信号伝達し、前記中継ループアンテナ及び前記通信装置側ループアンテナが電磁誘導方式又は電磁結合方式で信号伝達し、前記電磁誘導通信装置の前記制御部が前記ＩＣカードＩＣチップとの間で通信処理をすること、
を特徴とする中継カード。
【請求項４】
請求項３に記載の中継カードにおいて、
前記中継カードのカード表面の外形は、前記ＩＣカードのカード表面の外形と同じであり、
前記中継プレートは、この中継カードを前記ＩＣカードの外形に合わせるように前記ＩＣカードに重ねた状態で、前記ＩＣカードプレートに対向するように配置されていること、
を特徴とする中継カード。
【請求項５】
請求項３又は請求項４に記載の中継カードにおいて、
前記中継ループアンテナに接続された中継カードＩＣチップを備え、
前記組みカードの状態で、前記中継ループアンテナ及び前記通信装置側ループアンテナが信号伝達することにより、前記電磁誘導通信装置の前記制御部が、前記ＩＣカードＩＣチップに加えて前記中継カードＩＣチップとの間で通信処理をすること、
を特徴とする中継カード。
【請求項６】
請求項３から請求項５までのいずれか１項に記載の中継カードにおいて、
前記中継ループアンテナ及び前記中継プレートは、カード表面を法線方向から見たときに、重複していないか、又は組みカードの状態において、前記中継ループアンテナ及び前記通信装置側ループアンテナ間で信号伝達できる程度に重複していること、
を特徴とする中継カード。
【請求項７】
請求項３から請求項６までのいずれか１項に記載の中継カードにおいて、
前記ＩＣカードは、ＩＣチップに記憶されたデータの異なる複数の属性が用意されており、
前記組みカードは、属性の異なる複数の前記ＩＣカードをこの中継カード上に重ねて形成され、
前記組みカードの状態で、複数の前記ＩＣカードプレートと前記中継プレートとが対向するように配置されるとともに、カード表面を法線方向から見たときに、前記複数のＩＣカードプレートどうしが重ならないように配置され、前記電磁誘導通信装置の前記制御部が、前記複数の前記ＩＣカードＩＣチップとの間で通信処理をすること、
を特徴とする中継カード。
【請求項８】
ＩＣカードと、電磁誘導通信装置と、前記ＩＣカード及び電磁誘導通信装置間に介在される中継カードとを備える通信システムであって、
前記ＩＣカードは、
電磁誘導方式又は電磁結合方式で近距離無線通信可能なＩＣカードＩＣチップと、
前記ＩＣカードＩＣチップに接続され、導電性を有する一対のＩＣカードプレートとを備え、
前記電磁誘導通信装置は、
電磁誘導方式又は電磁結合方式により近距離無線通信で信号伝達する通信装置側ループアンテナと、
前記ＩＣカードＩＣチップとの間で通信処理をする制御部とを備え、
前記中継カードは、
電磁誘導方式又は電磁結合方式により近距離無線で信号伝達する中継ループアンテナと、
前記中継ループアンテナの両端に接続され、導電性を有する一対の中継プレートとを備え、
利用者によって、前記ＩＣカードを前記中継カード上の所定の位置に重ねられた組みカード状態で、前記ＩＣカードプレート及び前記中継プレートが対向し、前記組みカードが前記中継ループアンテナ及び前記通信装置側ループアンテナが対向するように前記電磁誘導通信装置に近接されることにより、前記ＩＣカードプレート及び前記中継プレートが静電結合方式で信号伝達し、前記中継ループアンテナ及び前記通信装置側ループアンテナが電磁誘導方式又は電磁結合方式で信号伝達し、前記電磁誘導通信装置の前記制御部が前記ＩＣカードＩＣチップとの間で通信処理をすること、
を特徴とする通信システム。
【発明の詳細な説明】
【技術分野】
【０００１】
本発明は、電磁誘導方式又は電磁結合方式で通信するカード、中継カード、通信システムに関するものである。
【背景技術】
【０００２】
従来、利用者が所持するＩＣカードを電磁誘導方式によって読み取る（又は書き込む）通信システムがあった（例えば特許文献１）。このような通信システムのＩＣカードは、少なくとも非接触通信機能を有するＩＣチップとアンテナコイルにより構成されており、ＩＣカード内に具備されたＩＣチップは、リーダライタから送出された信号より駆動電力の供給を受け、リーダライタから送出されるアナログ信号を受信しデジタル変換し、応答信号を返送することによりデータ送受信を実現している。非接触ＩＣカードは、交通システム、電子マネー、社員証システム、物流管理等の各種システムで用いられている。
非接触ＩＣカード用いた通信方式としては、通信周波数帯域に応じて、電磁結合方式、静電結合方式、電磁誘導方式、電波方式が用いられており、カード形態の非接触ＩＣ通信システムでは、電磁誘導方式が主流となっている。
しかし、電磁誘導方式の通信システムは、ＩＣカードのアンテナコイルをエッチング等により形成するため高コストであった。
【先行技術文献】
【特許文献】
【０００３】
【特許文献１】特開２０００−１２３１２１号公報
【発明の概要】
【発明が解決しようとする課題】
【０００４】
本発明の課題は、電磁誘導方式又は電磁結合方式で通信する中継カード、通信システムを低コストで実現することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、電磁誘導方式又は電磁結合方式で通信可能なＩＣカードＩＣチップ（４１，４４１−１，４４１−２，５４１）と、前記ＩＣカードＩＣチップに接続され、導電性を有する一対のＩＣカードプレート（４２Ａ，４２Ｂ，４４２Ａ−１，４４２Ｂ−１，４４２Ａ−２，４４２Ｂ−２，５４２Ａ，５４２Ｂ）とを備えるＩＣカード（４０，４４０（４４０−１，４４０−２），５４０）と、電磁誘導方式又は電磁結合方式により信号伝達する通信装置側ループアンテナ（２３，５２３）と、前記ＩＣカードＩＣチップとの間で通信処理をする制御部（２５，５２５）とを備える電磁誘導通信装置（２０，５１０）との間に介在される中継カード（３０，２３０，３３０，４３０，５３０）であって、電磁誘導方式又は電磁結合方式により信号伝達する中継ループアンテナ（３３，２３３，３３３，４３３，５３３）と、前記中継ループアンテナの両端に接続され、導電性を有する一対の中継プレート（３２Ａ，３２Ｂ，２３２Ａ，２３２Ｂ，３３２Ａ，３３２Ｂ，４３２Ａ，４３２Ｂ，５３２Ａ，５３２Ｂ）とを備え、利用者によって、前記ＩＣカードを前記中継カード上の所定の位置に重ねられた組みカード状態で、前記ＩＣカードプレート及び前記中継プレートが対向し、前記組みカード（５０，４５０，５５０）が前記中継ループアンテナ及び前記通信装置側ループアンテナが対向するように前記電磁誘導通信装置に近接されることにより、前記ＩＣカードプレート及び前記中継プレートが静電結合方式で信号伝達し、前記中継ループアンテナ及び前記通信装置側ループアンテナが電磁誘導方式又は電磁結合方式で信号伝達し、前記電磁誘導通信装置の前記制御部が前記ＩＣカードＩＣチップとの間で通信処理をすること、を特徴とする中継カードである。
・第２の発明は、第１の発明の中継カードにおいて、前記中継カード（３０，２３０，３３０，４３０，５３０）のカード表面の外形は、前記ＩＣカード（４０，４４０（４４０−１，４４０−２），５４０）のカード表面の外形と同じであり、前記中継プレート（３２Ａ，３２Ｂ，２３２Ａ，２３２Ｂ，３３２Ａ，３３２Ｂ，４３２Ａ，４３２Ｂ，５３２Ａ，５３２Ｂ）は、この中継カードを前記ＩＣカードの外形に合わせるように前記ＩＣカードに重ねた状態で、前記ＩＣカードプレート（４２Ａ，４２Ｂ，４４２Ａ−１，４４２Ｂ−１，４４２Ａ−２，４４２Ｂ−２，５４２Ａ，５４２Ｂ）に対向するように配置されていること、を特徴とする中継カードである。
・第３の発明は、第１又は第２の発明の中継カードにおいて、前記中継ループアンテナ（３３，２３３，３３３，４３３，５３３）に接続された中継カードＩＣチップ（３１，２３１，３３１，４３１）を備え、前記組みカード（５０，４５０，５５０）の状態で、前記中継ループアンテナ及び前記通信装置側ループアンテナ（２３，５２３）が信号伝達することにより、前記電磁誘導通信装置の前記制御部（２５，５２５）が、前記ＩＣカードＩＣチップに加えて前記中継カードＩＣチップとの間で通信処理をすること、を特徴とする中継カードである。
・第４の発明は、第１から第３までのいずれかの発明の中継カードにおいて、前記中継ループアンテナ（３３，２３３，４３３，５３３）及び前記中継プレート（３２Ａ，３２Ｂ，２３２Ａ，２３２Ｂ，４３２Ａ，４３２Ｂ，５３２Ａ，５３２Ｂ）は、カード表面を法線方向から見たときに、重複していないか、又は組みカード（５０，５５０）の状態において、前記中継ループアンテナ及び前記通信装置側ループアンテナ（２３，５２３）間で信号伝達できる程度に重複していること、を特徴とする中継カードである。
・第５の発明は、第１から第３までのいずれかの発明の中継カードにおいて、前記中継ループアンテナ（３３３）及び前記中継プレート（３３２Ａ，３３２Ｂ）は、カード表面を法線方向から見たときに、重複するように配置されており、この中継カードの厚み方向において、前記中継ループアンテナ及び前記中継プレート間に設けられ、カード表面を法線方向から見たときに、前記中継ループアンテナの少なくとも一部を覆うように配置された磁性体層（３３６）を備えること、を特徴とする中継カードである。
・第６の発明は、第１から第５までのいずれかの発明の中継カードにおいて、前記ＩＣカード（４４０（４４０−１，４４０−２））は、ＩＣチップに記憶されたデータの異なる複数の属性が用意されており、前記組みカードは、属性の異なる複数の前記ＩＣカードをこの中継カード（３３０）上に重ねて形成され、前記組みカード（５０，４５０）の状態で、複数の前記ＩＣカードプレートと前記中継プレート（３３２Ａ，３３２Ｂ）とが対向するように配置されるとともに、カード表面を法線方向から見たときに、前記複数のＩＣカードプレートどうしが重ならないように配置され、前記電磁誘導通信装置の前記制御部（５２５）が、前記複数の前記ＩＣカードＩＣチップ（４４１−１，４４１−２）との間で通信処理をすること、を特徴とする中継カードである。
・第７の発明は、ＩＣカード（４０，４４０（４４０−１，４４０−２），５４０）と、電磁誘導通信装置（２０，５１０）と、前記ＩＣカード及び電磁誘導通信装置間に介在される中継カード（３０，２３０，３３０，４３０，５３０）とを備える通信システムであって、前記ＩＣカードは、電磁誘導方式又は電磁結合方式で通信可能なＩＣカードＩＣチップ（４１，４４１−１，４４１−２，５４１）と、前記ＩＣカードＩＣチップに接続され、導電性を有する一対のＩＣカードプレート（４０，４４０（４４０−１，４４０−２），５４０）とを備え、前記電磁誘導通信装置は、電磁誘導方式又は電磁結合方式により信号伝達する通信装置側ループアンテナ（２３，５２３）と、前記ＩＣカードＩＣチップとの間で通信処理をする制御部（２５，５２５）とを備え、前記中継カードは、電磁誘導方式又は電磁結合方式により信号伝達する中継ループアンテナ（３３，２３３，３３３，４３３，５３３）と、前記中継ループアンテナの両端に接続され、導電性を有する一対の中継プレート（３２Ａ，３２Ｂ，２３２Ａ，２３２Ｂ，３３２Ａ，３３２Ｂ，４３２Ａ，４３２Ｂ，５３２Ａ，５３２Ｂ）とを備え、利用者によって、前記ＩＣカードを前記中継カード上の所定の位置に重ねられた組みカード状態で、前記ＩＣカードプレート及び前記中継プレートが対向し、前記組みカード（５０，４５０，５５０）が前記中継ループアンテナ及び前記通信装置側ループアンテナが対向するように前記電磁誘導通信装置に近接されることにより、前記ＩＣカードプレート及び前記中継プレートが静電結合方式で信号伝達し、前記中継ループアンテナ及び前記通信装置側ループアンテナが電磁誘導方式又は電磁結合方式で信号伝達し、前記電磁誘導通信装置の前記制御部が前記ＩＣカードＩＣチップとの間で通信処理をすること、を特徴とする通信システムである。
【発明の効果】
【０００７】
本発明によれば、電磁誘導方式又は電磁結合方式で通信する中継カード、通信システムを低コストで実現できる。
【図面の簡単な説明】
【０００８】
【図１】第１実施形態の通信システム１の基本構成を説明する図である。
【図２】第１実施形態の中継カード３０、ＩＣカード４０の平面図、断面図である。
【図３】第２実施形態の中継カード２３０の平面図（図３（ａ））、断面図（図３（ｂ））である。
【図４】第３実施形態の中継カード３３０の製造方法を説明する平面図、中継カード３３０の断面図である。
【図５】第４実施形態の中継カード４３０、ＩＣカード４４０（４４０−１，４４０−２）、組みカード４５０の平面図である。
【図６】第５実施形態のゲームシステム５０１のブロック図である。
【図７】第５実施形態のキャラクタテーブル５２４ａ、アイテムテーブル５２４ｂを示す表である。
【図８】第５実施形態のゲームシステム５０１の動作を示すフローチャートである。
【発明を実施するための形態】
【０００９】
（第１実施形態）
以下、図面等を参照して、本発明の第１実施形態について説明する。
（基本構成）
最初に、第１実施形態の通信システム１の通信方法の基本構成について説明する。
図１は、第１実施形態の通信システム１の基本構成を説明する図である。
図１（ａ）は、通信システム１の通信方法を説明する斜視図である。
図１（ｂ）は、通信システム１の通信方法を説明する概念図である。
図２は、第１実施形態の中継カード３０、ＩＣカード４０の平面図、断面図である。
図２（ａ）は、中継カード３０の平面図（図２（ａ１））、断面図（図２（ａ２））である。
図２（ｂ）は、ＩＣカード４０の平面図（図２（ｂ１））、断面図（図２（ｂ２））である。
なお、実施形態では、カード表面の法線方向を鉛直方向Ｚ（法線方向）、カード長手方向を左右方向Ｘ、短手方向を縦方向Ｙとし、カード表面を鉛直方向Ｚから見た図を適宜平面図といい、平面図の形状を適宜平面形状という。
図１に示すように、通信システム１は、リーダライタ２０（電磁誘導通信装置）、中継カード３０、ＩＣカード４０を備える。
【００１０】
リーダライタ２０は、従来の電磁誘導方式で通信するものと同様の装置である。
リーダライタ２０は、Ｒ／Ｗループアンテナ２３（電磁誘導通信装置側ループアンテナ）、記憶部２６、制御部２５を備える。
なお、記憶部２６、制御部２５は、他のコンピュータ等の装置に設け、この装置とリーダライタ２０等を通信ケーブル等で接続し、この装置とリーダライタ２０とが一体で電磁誘導通信装置を構成するようにしてもよい。
Ｒ／Ｗループアンテナ２３は、例えば、３回巻き程度のループアンテナであり、大きさが４５ｍｍ（左右方向Ｘ）×５５ｍｍ（縦方向Ｙ）程度である。Ｒ／Ｗループアンテナ２３は、例えばエッチング等の手法により、プリント配線基板上に銅パターンを配線して形成される。Ｒ／Ｗループアンテナ２３の両端の端子は、制御部２５に接続される。
【００１１】
記憶部２６は、リーダライタ２０の動作に必要なプログラム、情報等を記憶するための半導体メモリ素子等の記憶装置である。記憶部２６は、ＩＣカード４０に書き込む情報や、ＩＣカード４０と照合する情報等を記憶している。
制御部２５は、リーダライタ２０を統括的に制御するための制御部であり、例えばＣＰＵ等から構成される。制御部２５は、記憶部２６に記憶された各種プログラムを適宜読み出して実行することにより、前述したハードウェアと協働し、本発明に係る各種機能を実現している。
【００１２】
図１、図２に示すように、中継カード３０は、リーダライタ２０及びＩＣカード４０間の通信を可能にするカードである。中継カード３０の平面形状は、ほぼ矩形であり、外形が８５．６（左右方向Ｘ）ｍｍ×５４ｍｍ（縦方向Ｙ）である。中継カード３０は、厚みが０．８ｍｍ程度であり、カード状に形成される。
中継カード３０は、中継カードＩＣチップ３１、一対の中継プレート３２Ａ，３２Ｂ、中継ループアンテナ３３、基板３４、上層３５、下層３６を備える。
中継カードＩＣチップ３１は、電磁誘導方式で通信可能な集積回路であり、従来の電磁誘導方式のＩＣカードに内蔵されているものと、同種のものである。中継カードＩＣチップ３１は、中継カード３０の動作に必要なプログラム、中継カード３０の識別情報等を記憶する記憶部と、この記憶部に記憶された各種プログラムを適宜読み出して実行することにより、中継カード３０を統括的に制御する制御部とを備える。なお、この記憶部は、記憶情報の読み出し専用のタイプであっても、記憶情報を書き換え可能であるタイプであってもよい。
【００１３】
図２（ａ）に示すように、中継カードＩＣチップ３１は、厚さが例えば１５０μｍ程度である。中継カードＩＣチップ３１は、基板３４上面に実装されている。ＩＣチップ４１は、中継ループアンテナ３３の両端に、電気的に接続されている。
中継カードＩＣチップ３１の入出力部（リードフレーム等）は、基板３４に対して、異方性導電性ペースト、異方性導電性フィルム、導電性接着剤等の接続部材３１ａによって、それぞれ電気的及び機械的に接続されている。
【００１４】
中継プレート３２Ａ，３２Ｂは、それぞれ厚さ１０μｍ、平面形状が２０ｍｍ×２０ｍｍの導電性部材である。中継プレート３２Ａ，３２Ｂは、例えば、エッチング等の手法により基板３４上面に導電性材料である銅を薄く形成したり、導電性を有するアルミニウム箔等を基板３４上面に貼付して形成される。なお、中継プレート３２Ａ，３２Ｂを、エッチングにより形成する場合には、両面エッチングによって、中継ループアンテナ３３と同時に形成できる。
各中継プレート３２Ａ，３２Ｂは、それぞれ中継ループアンテナ３３の両端に電気的に接続されている。中継プレート３２Ａ，３２Ｂは、細長いスリット（例えば幅１ｍｍ程度）を介して、縦方向Ｙに並べるように配列されている。
中継プレート３２Ａ，３２Ｂは、ＩＣカード４０のＩＣカードプレート４２Ａ，４２Ｂ（後述する）にほぼ密着し（例えば、中継プレート３２Ａ，３２Ｂの上面と、ＩＣカードプレート４２Ａ，４２Ｂの下面との距離が１ｍｍ程度）、かつ、このＩＣカードプレート４２Ａ，４２Ｂにそれぞれ向かい合う（対向する）ように配置されることにより、ＩＣカードプレート４２Ａ，４２Ｂと静電結合する。
【００１５】
中継ループアンテナ３３は、例えば、３回巻き程度のループアンテナであり、大きさが４５ｍｍ（左右方向Ｘ）×５５ｍｍ（縦方向Ｙ）程度である。中継ループアンテナ３３は、例えばエッチング等の手法により、基板３４下面に銅パターンを配線して形成される。中継ループアンテナ３３の両端部は、スルーホール３３ａ，３３ｂによって基板３４上面に導通し、中継カードＩＣチップ３１、中継プレート３２Ａ，３２Ｂに電気的に接続されている。
図２（ａ）に示すように、平面図において、中継ループアンテナ３３は、中継プレート３２Ａ，３２Ｂに重複しないように配置されている。このため、中継ループアンテナ３３及びＲ／Ｗループアンテナ２３は、中継プレート３２Ａ，３２Ｂによって、磁界が遮られることなく、中継ループアンテナ３３近傍を磁束が通過可能となり、安定して通信できる。
【００１６】
基板３４は、中継カードＩＣチップ３１を実装し、中継ループアンテナ３３、中継プレート３２Ａ，３２Ｂを形成するプリント配線基板である。
上層３５、下層３６は、基板３４の上面、下面に積層される部材である。上層３５、下層３６は、例えば、ＰＥＴ、ＰＥＴ−Ｇ、ＰＶＣ、ポリイミド、紙材等の絶縁性フィルム基材である。上層３５、下層３６は、接着材３７ａ，３７ｂ（液状、フィルム状の接着剤や、粘着剤等）によって基板３４に接着されている。
【００１７】
図１、図２に示すように、ＩＣカード４０は、外部接触端子を備えない非接触型のカードである。ＩＣカード４０の平面形状は、中継カード３０と同じである。また、ＩＣカード４０は、例えば、厚みが０．８ｍｍ以下であり、中継カード３０と同じか、又はこれよりも薄い。
ＩＣカード４０は、ＩＣカードＩＣチップ４１、一対のＩＣカードプレート４２Ａ，４２Ｂ、上層４５、下層４６を備える。
ＩＣカードＩＣチップ４１は、中継カードＩＣチップ３１と同様な電磁誘導方式で通信可能なＩＣチップであり、記憶部、制御部を備える。記憶部には、ＩＣカード４０の識別情報等が記憶されている。ＩＣカードＩＣチップ４１は、ＩＣカードプレート４２Ａ，４２Ｂ間のスリットを跨ぐように配置されている。
なお、ＩＣカードＩＣチップ４１と中継カードＩＣチップ３１との通信方式は、同一であっても、異なる通信方式であっても、同一周波数の搬送波を用いた通信方式であれば、いずれでも構わない。
ＩＣカードＩＣチップ４１の入出力部（リードフレーム等）は、ＩＣカードプレート４２Ａ，４２Ｂに対して、異方性導電性ペースト、異方性導電性フィルム、導電性接着剤等の接続部材４１ａによって、それぞれ電気的及び機械的に接続されている。なお、ＩＣカードＩＣチップ４１が電磁誘導方式のものであるため、この入出力部は、本来、ループアンテナに接続されるものである。
【００１８】
ＩＣカードプレート４２Ａ，４２Ｂは、それぞれ厚さ１０μｍ、短辺×長辺が２０ｍｍ×２０ｍｍのアルミニウム箔である。ＩＣカードプレート４２Ａ，４２Ｂは、下層４６に貼り付けられている。ＩＣカードプレート４２Ａ，４２Ｂは、細長いスリット（例えば幅０．５ｍｍ程度）を介して、縦方向Ｙに並べるように配列されている。
図２（ｂ１）に示すように、平面図において、ＩＣカードプレート４２Ａ，４２Ｂは、中継プレートと同様な位置に配置されている。また、前述したように、中継カード３０、ＩＣカード４０は、外形が同じである。このため、ＩＣカードプレート４２Ａ，４２Ｂは、中継カード３０、ＩＣカード４０の外形を合うように重ね合わせた状態では、中継プレートに向かい合うように配置されている。
【００１９】
図２（ｂ）に示すように、上層４５、下層４６は、ＰＥＴ、ＰＥＴ−Ｇ、ＰＶＣ、ポリイミド、紙等の絶縁性フィルム基材である。
下層４６は、ＩＣカード４０の基材である。
上層４５は、ＩＣカードＩＣチップ４１、ＩＣカードプレート４２Ａ，４２Ｂを覆うように、接着材４７（液状、フィルム状の接着剤や、粘着剤等）によって下層４６に貼り付けられている。
【００２０】
（通信方法）
次に、第１実施形態の通信システム１の基本的な通信方法について説明する。
図１に示すように、利用者は、中継カード３０、ＩＣカード４０を、外形を合わせるように重ね合わせ、組みカード５０の状態にして、組みカード５０をリーダライタ２０に近接させる（近づける）ように配置する。
（リーダライタ２０及び中継カード３０間の接続）
組みカード５０をリーダライタ２０に近接させることにより、Ｒ／Ｗループアンテナ２３及び中継ループアンテナ３３が向かい合う（対向する）ように配置される。
Ｒ／Ｗループアンテナ２３及び中継ループアンテナ３３間は、電磁誘導方式により非接触で接続され、情報の伝達をすることができる。電磁誘導方式を用いたＩＣカード４０の通信方式は、ＩＳＯ／ＩＥＣ１４４４３，ＩＳＯ／ＩＥＣ１５６９３，ＩＳＯ／ＩＥＣ１８０９２にて規格化されており、１３．５６ＭＨｚの信号周波数が用いられる。
中継ループアンテナ３３及びＲ／Ｗループアンテナ２３間の電磁誘導により、中継ループアンテナ３３に発生した起電力によって、中継カードＩＣチップ３１に駆動電力及び信号が伝達される。これにより、ＩＣチップ３１が駆動するとともに、リーダライタ２０からの送信データが中継カードＩＣチップ３１に伝達され、一方、中継カードＩＣチップ３１からの返信データがリーダライタ２０に伝達される。
なお、組みカード５０は、Ｒ／Ｗループアンテナ２３及び中継ループアンテナ３３間で電磁誘導方式に接続できる程度まで、リーダライタ２０に近接される必要がある。
【００２１】
なお、Ｒ／Ｗループアンテナ２３及び中継ループアンテナ３３の巻数は、３巻程度である例を説明したが、これに限定されない。両者の間が電磁誘導方式により非接触で接続される巻数であればよく、巻数は、例えば１巻以上であればよい。
【００２２】
（中継カード３０及びＩＣカード４０間の接続）
中継プレート３２Ａ，３２Ｂ及びＩＣカードプレート４２Ａ，４２Ｂは、向かい合わせることにより、コンデンサプレートとして機能して、両者の間が静電結合方式により非接触で接続され、信号伝達をすることができる。
【００２３】
中継ループアンテナ３３及びＲ／Ｗループアンテナ２３間の電磁誘導により、中継ループアンテナ３３に起電力が発生し、中継プレート３２Ａ，３２Ｂ及びＩＣカードプレート４２Ａ，４２Ｂが向かい合うことにより、静電結合し、ＩＣカードＩＣチップ４１に駆動電力及び信号が伝達される。これにより、ＩＣカードＩＣチップ４１が駆動するとともに、リーダライタ２０からの送信データが、中継カード３０を介して、ＩＣカードＩＣチップ４１に伝達され、一方、ＩＣカードＩＣチップ４１からの返信データが、中継カード３０を介してリーダライタ２０に伝達される。
【００２４】
以上により、リーダライタ２０の制御部２５は、中継カードＩＣチップ３１及びＩＣカードＩＣチップ４１との間で、通信処理を行うことができる。また、中継カードＩＣチップ３１、ＩＣカードＩＣチップ４１が書き換え可能である場合には、制御部２５は、これらの情報を更新できる。
なお、制御部２５は、実際に通信する場合には、中継カードＩＣチップ３１、ＩＣカードＩＣチップ４１のうち、一方のカード種別と関連するコードを含む命令を行うことにより、片方ずつ通信する。
【００２５】
以上説明したように、本実施形態の通信システム１は、リーダライタ２０及び中継カード３０間で通信できるとともに、中継カード３０を介して、リーダライタ２０及びＩＣカード４０間で通信できる。
また、ＩＣカード４０は、ループアンテナを形成する必要がなく、１対のＩＣカードプレート４２Ａ，４２Ｂを設ければよいので、従来の複雑なエッチング等のアンテナ形成工程が不要となり、低コストでカードを製造できる。このため、通信システム１は、ＩＣカード４０の発行量が多くなる程、従来のシステムと比較してコスト面で有利になり、低コストでシステムを構築できる。
さらに、通信システム１は、市場で多く流通している電磁誘導方式又は電磁結合方式のリーダライタを流用してシステムを構築できるので、低コストで導入できるとともに、既存システムからの置き換えがリーダライタの変更なしで行うことができる。
さらにまた、通信システム１は、利用者によって、カード状に形成された中継カード３０、ＩＣカード４０を重ねた組みカード５０状態でのみ、ＩＣカード４０をリーダライタ２０に近づけることにより、ＩＣカード４０及びリーダライタ２０間で通信するという新しい通信方法を提供できる。また、また、組みカード５０にする場合には、２枚のカード外形を合わせるように重ねればよいので、作業が簡単である。
その上、通信システム１は、ＩＣカードＩＣチップ４１及び中継カードＩＣチップ３１内に記憶されているデータの組み合わせに応じた処理を行うことができる。例えば、ゲームシステムに利用する場合には、ＩＣカード４０及び中継カード３０の組み合わせに応じて、異なるプレイを行うことができる。また、例えば、セキュリティシステムに利用する場合には、ＩＣカード４０及び中継カード３０の組み合わせに応じて、装置の駆動を許可したりできる。
【００２６】
（第２実施形態）
次に、本発明の第２実施形態について説明する。
なお、以下の説明及び図面において、前述した第１実施形態と同様の機能を果たす部分には、末尾（下２桁）に同一の符号を付して、重複する説明を適宜省略する。
図３は、第２実施形態の中継カード２３０の平面図（図３（ａ））、断面図（図３（ｂ））である。
【００２７】
図３（ａ）に示すように、平面図において、中継ループアンテナ２３３の外形は、カード外形よりも一回り小さい程度であり、第１実施形態よりも大きい。中継ループアンテナ２３３の一部は、中継プレート２３２Ａ，２３２Ｂに重複している。この重複部分は、十分に小さい。このため、中継ループアンテナ２３３及びＷ／Ｒループアンテナ２３（図１参照）は、電磁誘導方式によって通信できる。つまり、この重複部分は、中継ループアンテナ２３３及びＷ／Ｒループアンテナ２３が通信可能な程度に、小さく設定されている。
【００２８】
外周側のスルーホール２３３ａは、中継ループアンテナ２３３の外形を大きくしたため、カード外縁付近に配置されている。これにより、中継プレート２３２Ａは、カード外側から配線パターンによりスルーホール２３３ａに接続されている。
ここで、中継プレート２３２Ａ，２３２Ｂをカード内に配置し、その上で、スルーホール２３３ａ，２３３ｂ及び中継カードＩＣチップ２３１間を、配線パターンで配線しようとすると、配線パターンの引き回しが複雑になってしまう。
そのため、本実施形態では、中継プレート２３２Ａ及びスルーホール２３３ａ間を配線パターンで接続し、その上で、中継カードＩＣチップ２３１を中継プレート２３２Ａ，２３２Ｂ上に直接実装することにより、配線パターンの引き回しを簡単にしている。なお、電気的な作用は、第１実施形態と同様である。
【００２９】
以上説明したように、本実施形態の中継カード２３０は、中継ループアンテナ２３３及び中継プレート２３２Ａ，２３２Ｂを重複するように配置しても、安定して通信できる。また、この場合でも、配線パターンの引き回しが簡単である。
【００３０】
（第３実施形態）
次に、本発明の第３実施形態について説明する。
図４は、第３実施形態の中継カード３３０の製造方法を説明する平面図、中継カード３３０の断面図である。
図４（ａ）に示すように、基板３３４は、左基板３３４Ａ、右基板３３４Ｂを備える。
左基板３３４Ａ、右基板３３４Ｂは、平面形状がそれぞれ中継カード３３０と同一の形状であり、中心線３３４ａを介して接続されている。
中継ループアンテナ３３３は、左基板３３４Ａ下面に形成されている。中継ループアンテナ３３３の外形は、カード外形よりも一回り小さい程度であり、第１実施形態よりも大きい。
中継プレート３３２Ａ，３３２Ｂは、右基板３３４Ｂ上面に形成されている。中継プレート３３２Ａ，３３２Ｂは、右基板３３４Ｂの左右方向Ｘに延在しており、第１実施形態よりも大きい。中継ループアンテナ３３３及び中継プレート３３２Ａ，３３２Ｂは、両面エッチングによって、同時に形成できる。
中継ループアンテナ３３３及び中継プレート３３２Ａ，３３２Ｂは、スルーホール３３３ａ，３３３ｂ、配線パターンを介して、電気的に接続されている。
【００３１】
中継カード３３０の製造は、以下の工程に従う。
（１）図４（ｂ）に示すように、フェライトシート３３６（磁性体層）を、カード表面を法線方向から見たときに、中継ループアンテナ３３３を覆うように、左基板３３４Ａ上に貼付する。
（２）左基板３３４Ａ、右基板３３４Ｂを、フェライトシート３３６が内側になるように、中心線３３４ａで２つ折りにして、接着材で貼付する。
図４（ｃ）に示すように、これにより、フェライトシート３３６は、平面図において、中継ループアンテナ３３３を覆うように配置される。また、図４（ｄ）に示すように、フェライトシート３３６は、厚み方向において、中継ループアンテナ３３３及び中継プレート３３２Ａ，３３２Ｂ間に配置される。
（３）図４（ｄ）に示すように、２つ折りにした左基板３３４Ａ、右基板３３４Ｂに対して、上層３５、下層３６を接着材３７ａ，３７ｂで貼付する。
以上の工程により、中継カード３３０を製造できる。
【００３２】
以上説明したように、中継カード３３０は、フェライトシート３３６が、中継ループアンテナ３３３及び中継プレート３３２Ａ，３３２Ｂ間に層状に配置される。このため、組みカード５０（図１参照）の状態で、下層３６下面側からリーダライタ２０（図１参照）に近づけることにより、中継プレート３３２Ａ，３３２Ｂが磁界を遮る効果を低減でき、中継ループアンテナ３３３及びＲ／Ｗループアンテナ２３間で、安定して通信できる。
また、中継カード３３０は、中継ループアンテナ３３３の平面形状を大きくすることができるので、信号の伝達効率が向上し、リーダライタ２０との距離が離れた場合も安定して通信できる。
さらに、中継カード３３０は、中継プレート３３２Ａ，３３２Ｂの平面形状を大きくすることができるので、ＩＣカード４０（図１参照）と中継カード３３０の位置ズレが生じた場合も、より安定して通信できる。
【００３３】
なお、フェライトシート３３６は、中継ループアンテナ３３３の全てを覆うような形態ではなくてもよい。中継ループアンテナ３３３及びＲ／Ｗループアンテナ２３間で安定して通信できる程度であれば、平面図において、フェライトシート３３６は、中継ループアンテナ３３３の一部を覆うようにしてもよい。
【００３４】
（第４実施形態）
次に、本発明の第４実施形態について説明する。
図５は、第４実施形態の中継カード４３０、ＩＣカード４４０（４４０−１，４４０−２）、組みカード４５０の平面図である。
本実施形態の通信システムは、中継カード４３０、ＩＣカード４４０（４４０−１，４４０−２）を備える。
図５（ａ）に示すように、中継カード４３０は、第１実施形態と同様な形態である。
図５（ｂ）に示すように、ＩＣカード４４０−１は、ＩＣカードプレート４４２Ａ−１，４４２Ｂ−１が、第１実施形態と比べると、半分程度の大きさである。
図５（ｃ）に示すように、ＩＣカード４４０−２は、ＩＣカードプレート４４２Ａ−２，４４２Ｂ−２が、第１実施形態と比べると、半分程度の大きさである。
ＩＣカード４４０−１，４４０−２は、属性（種類）が異なるカードである。つまり、ＩＣカード４４０−１，４４０−２は、ＩＣカードＩＣチップ４４１−１，４４１−２内の記憶情報が異なっている。例えば、ＩＣカード４４０−１は、通信システムにアクセスする認証カードとしての属性を有し、ＩＣカード４４０−２は、システム内の所定の機能を実行させる実行カードとしての属性を有する。
【００３５】
図５（ｄ）に示すように、このため、中継カード４３０、ＩＣカード４４０−１，４４０−２を重ね合わせた組みカード４５０の状態では、中継プレート４３２Ａ，４３２Ｂ上に、ＩＣカードプレート４４２Ａ−１，４４２Ｂ−１、ＩＣカードプレート４４２Ａ−２，４４２Ｂ−２が、重複しない状態で配置される。なお、ＩＣカード４４０−１，４４０−２の積層順は、限定されない。
【００３６】
これにより、中継プレート４３２Ａ，４３２Ｂは、ＩＣカードプレート４４２Ａ−１，４４２Ｂ−１、ＩＣカードプレート４４２Ａ−２，４４２Ｂ−２のいずれとも静電結合する。このため、制御部２５（図１参照）は、中継カードＩＣチップ４３１及びＩＣカードＩＣチップ４４１−１，４４１−２との間で通信できる。
なお、制御部２５は、実際に通信する場合には、３つのＩＣチップのいずれかを指定して、１つずつ通信する。
【００３７】
以上説明したように、本実施形態の通信システムは、複数のＩＣカード４４０−１，４４０−２を中継カード４３０上に重ねて組みカード４５０が形成され、また、複数のＩＣカードプレート４４２Ａ−１，４４２Ｂ−１、ＩＣカードプレート４４２Ａ−２，４４２Ｂ−２と、中継プレート４３２Ａ，４３２Ｂとが向かい合うように配置される。さらに、カード表面を法線方向から見たときに、複数のＩＣカードプレート４４２Ａ−１，４４２Ｂ−１、ＩＣカードプレート４４２Ａ−２，４４２Ｂ−２どうしが重ならないように配置される。これにより、制御部２５は、複数のＩＣカードＩＣチップ４４１−１，４４１−２との間で通信処理をして、組み合わせに応じた情報を通信できる。
また、通信システムは、１枚の中継カード４３０に対して、２枚のＩＣカード４４０を組み合わせできるので、より多くの情報を組みカード４５０に持たせることができ、また、組みカード４５０の形態を多様にできる。
なお、組みカード４５０は、ＩＣカード４４０を２枚に限らず、３枚以上で構成してもよい。この場合には、ＩＣカードプレートを小さくしたり、中継プレートを大きくすればよい。中継プレートを大きくする場合には、第３実施形態の中継カードを利用すれば、好適である。
【００３８】
（第５実施形態）
次に、本発明の第５実施形態について説明する。
第５実施形態は、上記実施形態の構成を利用したゲームシステム５０１である。
図６は、第５実施形態のゲームシステム５０１のブロック図である。
図７は、第５実施形態のキャラクタテーブル５２４ａ、アイテムテーブル５２４ｂを示す表である。
図６に示すように、ゲームシステム５０１は、ゲーム機５１０（電磁誘導通信装置）、キャラクタカード５３０、アイテムカード５４０を備える。
ゲームシステム５０１は、仮想空間において、プレイヤがキャラクタを操作して、敵と戦うプレイを行なうものである。ゲームシステム５０１は、例えば、１枚のキャラクタカード５３０、数枚のアイテムカード５４０がセットになったものを、プレイヤが予め購入して、ゲーム機５１０でプレイするものである。なお、ゲームシステム５０１は、アイテムカード５４０を追加購入して、より複数のアイテムを揃えられるようにしてもよい。
【００３９】
ゲーム機５１０は、操作部５１１、モニタ５１２、リーダライタ５２０、ゲーム機記憶部５２４、ゲーム機制御部５２５を備える。
操作部５１１は、プレイヤが操作する入力装置である。操作部５１１は、操作ボタン、操作レバー等を備える。操作部５１１は、操作情報をゲーム機制御部５２５に出力する。
モニタ５１２は、プレイ画面を表示する表示装置である。モニタ５１２は、液晶表示装置等である。
リーダライタ５２０は、プレイヤが組みカード５５０を載置できるタイプでもよく、又は組みカード５５０を挿入するスロットタイプでもよい。本実施形態では、スロットタイプである例を説明する。
【００４０】
ゲーム機記憶部５２４は、ゲーム機５１０の動作に必要なプログラム、情報等を記憶するためのハードディスク、半導体メモリ素子等の記憶装置である。
ゲーム機記憶部５２４は、キャラクタテーブル５２４ａ、アイテムテーブル５２４ｂを備える。
【００４１】
図７に示すように、キャラクタテーブル５２４ａは、キャラクタカード５３０のキャラクタ識別情報（後述する）と、キャラクタの種類とを対応付けて記憶するテーブルである。この例では、キャラクタ識別情報Ａ〜Ｃと、キャラクタである戦士Ａ〜Ｃとが、それぞれ対応付けられている。
キャラクタは、その種類に応じて、敵への攻撃力や、敵からの防御力が異なっている。
【００４２】
アイテムテーブル５２４ｂは、アイテムカード５４０のアイテム識別情報（後述する）と、アイテムの種類とを対応付けて記憶するテーブルである。この例では、アイテム識別情報１〜３と、アイテムである剣、盾、拳銃とが、それぞれ対応付けられている。
実施形態では、キャラクタが剣、拳銃を身に着ければ、敵への攻撃力が向上し、また、盾を身に着ければ、敵からの防御力が向上するようになっている。
なお、実際には、この３種類の他に、アイテムカード５４０の種類に応じた数のアイテムが用意されているが、実施形態では、説明を簡略する。
【００４３】
図６に示すように、ゲーム機制御部５２５は、ゲーム機５１０を統括的に制御するための制御装置であり、例えば、ＣＰＵ（中央処理装置）等から構成される。ゲーム機制御部５２５は、ゲーム機記憶部５２４に記憶された各種プログラムを適宜読み出して実行することにより、前述したハードウェアと協働し、本発明に係る各種機能を実現している。
ゲーム機制御部５２５は、プレイ進行部５２５ａを備える。
プレイ進行部５２５ａは、プレイ進行を統括的に制御する制御部である。プレイ進行部５２５ａは、ゲーム機記憶部５２４のゲームプログラムに従ってプレイ進行する。
【００４４】
キャラクタカード５３０は、第１実施形態の中継カード３０に対応するカードである。
キャラクタカード５３０は、キャラクタカードＩＣチップ５３１、キャラクタカードプレート５３２Ａ，５３２Ｂ（中継プレート），キャラクタカードループアンテナ５３３（中継ループアンテナ）を備える。
【００４５】
キャラクタカードＩＣチップ５３１は、キャラクタカード記憶部５３１ａ、キャラクタカード制御部５３１ｄ、アナログ回路５３１ｅを備える。
キャラクタカード記憶部５３１ａは、キャラクタカード５３０の動作に必要なプログラム、情報等を記憶するための記憶回路である。
キャラクタカード記憶部５３１ａは、キャラクタ識別情報５３１ｂ、プレイ情報記憶部５３１ｃを備える。
キャラクタ識別情報５３１ｂは、各キャラクタカード５３０の種類の識別情報、つまり各キャラクタの識別情報である（図７（ａ）に示すキャラクタ識別情報Ａ〜Ｃ参照）。
プレイ情報記憶部５３１ｃは、プレイヤのプレイ情報を記憶する記憶領域である。プレイ情報とは、ライフ値（キャラクタがプレイ可能な残量の情報）、経験値（キャラクタのプレイ履歴）等をいう。後述するように、プレイ情報は、プレイをする毎に更新される。このため、ゲームシステム５０１は、同じ種類のキャラクタであっても、プレイヤ毎に異なる能力を有するようになっている。
【００４６】
キャラクタカード制御部５３１ｄは、キャラクタカード５３０を統括的に制御するための制御部であり、例えばＣＰＵ等から構成される。キャラクタカード制御部５３１ｄは、キャラクタカード記憶部５３１ａに記憶された各種プログラムを適宜読み出して実行することにより、本発明に係る各種機能を実現している。
アナログ回路５３１ｅは、整流回路、変調回路、復調回路、ＣＬＫ抽出回路等により構成されている。アナログ回路５３１ｅは、ＩＣチップ入出力端子を介して入力された信号に対して、ＡＤ変換、クロック生成等を行い、キャラクタカード制御部５３１ｄへの電圧供給、クロック供給、データ入出力等を行う。
【００４７】
アイテムカード５４０は、第１実施形態のＩＣカード４０に対応するカードである。アイテムカード５４０は、剣、盾、拳銃等のようにアイテム（属性）が異なる複数のものが用意されている。
アイテムカード５４０は、アイテムカードＩＣチップ５４１、アイテムカードプレート５４２Ａ，５４２Ｂ（ＩＣカードプレート）を備える。
アイテムカードＩＣチップ５４１は、アイテムカード記憶部５４１ａ、アイテムカード制御部５４１ｄ、アナログ回路５４１ｅを備える。
アイテムカード記憶部５４１ａは、アイテムカード５４０の動作に必要なプログラム、情報等を記憶するための記憶回路である。
アイテムカード記憶部５４１ａは、アイテム識別情報５４１ｂを備える。
アイテム識別情報５４１ｂは、各アイテムカード５４０の種類の識別情報、つまり各アイテムの識別情報である（図７（ｂ）に示すアイテム識別情報１〜３参照）。
【００４８】
アイテムカード制御部５４１ｄは、アイテムカード５４０を統括的に制御するための制御部であり、例えばＣＰＵ等から構成される。アイテムカード制御部５４１ｄは、アイテムカード記憶部５４１ａに記憶された各種プログラムを適宜読み出して実行することにより、本発明に係る各種機能を実現している。
アナログ回路５４１ｅは、アナログ回路５３１ｅと同様な装置であり、アイテムカード制御部５４１ｄへの電圧供給、クロック供給、データ入出力等を行う。
【００４９】
図８は、第５実施形態のゲームシステム５０１の動作を示すフローチャートである。
最初に、ステップＳ（以下、「Ｓ」という）１において、ゲームシステム５０１は、一連の処理を開始する。なお、処理を開始する前提として、プレイヤがキャラクタカード５３０、アイテムカード５４０を組みカード５５０の状態にして、リーダライタ５２０に挿入にしているものとする。
Ｓ２において、リーダライタ５２０は、キャラクタカードＩＣチップ５３１から、キャラクタ識別情報５３１ｂ、プレイ情報（ライフ値、経験値等）の情報を読み取り、プレイ進行部５２５ａに出力する。プレイ進行部５２５ａは、キャラクタテーブル５２４ａを参照して、キャラクタ識別情報５３１ｂに基づいてキャラクタの情報を読み出す。
Ｓ３において、リーダライタ５２０は、アイテムカードＩＣチップ５４１から、アイテム識別情報５４１ｂを読み取り、プレイ進行部５２５ａに出力する。プレイ進行部５２５ａは、アイテムテーブル５２４ｂを参照して、アイテム識別情報５４１ｂに基づいてアイテムの情報を読み出す。
【００５０】
Ｓ４において、プレイ進行部５２５ａは、Ｓ２で読み出したキャラクタと、Ｓ３で読み出したアイテムとを結合する。例えば、キャラクタが戦士Ａであり、アイテムが剣であれば、プレイ進行部５２５ａは、戦士Ａが剣を身に着けた新たなキャラクタを作成する。この場合には、プレイ進行部５２５ａは、戦士Ａの攻撃力を、剣に対応した攻撃力分だけ増やす。
Ｓ５において、プレイ進行部５２５ａは、操作部５１１の操作に基づいて、Ｓ４で作成したキャラクタを操作して、仮想空間内で敵と戦うプレイ処理を行う。
なお、リーダライタ５２０は、プレイ処理中において、組みカード５５０の各ＩＣチップ５３１，５４１と通信して、組みカード５５０の変更があるか否かを監視する。
【００５１】
Ｓ６において、プレイ進行部５２５ａは、リーダライタ５２０の出力に基づいて、組みカード５５０のアイテムカード５４０の変更があったか否かを判定する。なお、プレイヤは、アイテムカード５４０を変更する場合には、リーダライタ５２０のスロットからアイテムカード５４０のみを抜き出し、他の種類のアイテムカード５４０を挿入すればよい。
プレイ進行部５２５ａは、アイテムカード５４０の変更があったと判定した場合には（Ｓ６：ＹＥＳ）、Ｓ６ａに進み、一方、変更がないと判定した場合には（Ｓ６：ＮＯ）、Ｓ７に進む。
【００５２】
Ｓ６ａにおいて、プレイ進行部５２５ａは、交換されたアイテムカード５４０に基づいて、Ｓ３と同様に、アイテムテーブル５２４ｂからアイテムの情報を読み出す。そして、プレイ進行部５２５ａは、キャラクタと、交換後のアイテムカード５４０のアイテムとを、Ｓ４と同様に再結合して、再度新たなキャラクタを作成する。
その後、プレイ進行部５２５ａは、Ｓ５からの処理を繰り返す。これにより、プレイ進行部５２５ａは、キャラクタの能力を変更して、プレイ進行できる。
Ｓ６、Ｓ６ａ、及び繰り返されるＳ５の処理により、プレイヤは、キャラクタのアイテムを、プレイ状況に応じたものに変更できる。例えば、敵へのダメージを与えたい場面では、剣、拳銃等のアイテムに変更できるし、一方、敵からのダメージを防ぎたい場面では、盾等のアイテムに変更できる。
【００５３】
Ｓ７において、プレイ進行部５２５ａは、プレイ終了か否かを判定する。プレイ進行部５２５ａは、プレイ終了の判断を、キャラクタのライフ値がゼロである否か、プレイヤが操作部５１１を操作してプレイをセーブしたか否か等によって行なう。
プレイ進行部５２５ａは、プレイ終了と判定した場合には（Ｓ７：ＹＥＳ）、Ｓ８に進み、一方、プレイ終了ではないと判定した場合には（Ｓ７：ＮＯ）、Ｓ５からの処理を繰り返す。
【００５４】
Ｓ８において、プレイ進行部５２５ａは、リーダライタ５２０を制御して、キャラクタカード５３０のプレイ情報記憶部５３１ｃのプレイ情報を、プレイ終了時のプレイ情報（ライフ値、経験値等）に更新し、Ｓ９に進む。
Ｓ９において、プレイ進行部５２５ａは、一連の処理を終了する。
【００５５】
以上説明したように、本実施形態のゲームシステム５０１は、キャラクタカード５３０、アイテムカード５４０を重ねた組みカード５５０を利用してキャラクタを新たに作成して、プレイ進行するシステムを提供できる。
【００５６】
なお、本実施形態では、組みカード５５０は、第４実施形態と同様に、１枚のキャラクタカード５３０に対して、複数のアイテムカード５４０を組み合わせるようにしてもよい。これにより、新たに作成するキャラクタをより多様にできる。すなわち、防御力、攻撃力の両方を増やしたキャラクタ等を生成できる。
【００５７】
また、本実施形態では、通信システムをゲームシステムに利用する例を示したが、これに限定されない。例えば、セキュリティシステムに適用してもよい。
本発明では、リーダライタ及びＩＣカードが通信するためには、中継カードが必要になる。このため、ＩＣカードを従業員がそれぞれ所持し、中継カードを従業員の管理者が所持するようにすれば、管理者が従業員の通信システムへのアクセスを管理できるので、セキュリティ性を向上できる。
【００５８】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００５９】
（変形形態）
（１）実施形態において、リーダライタ及び中継通信装置は、電磁誘導方式により通信する例を示したが、これに限定されない。例えば、リーダライタ及び中継通信装置は、電磁結合方式によって通信してもよい。この場合には、ＩＣカードに設けるＩＣチップを、電磁結合方式によって通信できるタイプにすればよい。
なお、電磁結合は、原理的には電磁誘導と同じである。また、電磁結合方式の通信とは、カード側のアンテナとリーダライタ側のアンテナとを向かい合わせ、静止状態で電磁誘導により通信することをいう。
【００６０】
（２）本実施形態において、中継カードは、中継カードＩＣチップを備える例を示したが、これに限定されない。例えば、中継カードが中継カードＩＣチップを備えていなくても、中継カード及びＩＣカードを組みカードにして、ＩＣカード及び電磁誘導通信装置間で通信する新しい通信方法を提供できる。
【００６１】
（３）本実施形態において、ＩＣカードは、クレジットカード等と同じように、外形が８５．６×５４ｍｍの例を示したが、これに限定されない。ＩＣカードの外形は、これよりも小さくてもよい。本発明は、ＩＣカードに一対のカードプレートを設ければよいので、ループアンテナを設ける場合と比較すると、カード外形を小さくできる。これにより、ＩＣカードをさらに低コストで製造できる。
【符号の説明】
【００６２】
１  通信システム
２０，５２０  リーダライタ
２３，５２３  Ｒ／Ｗループアンテナ
２５  制御部
３０，２３０，３３０，４３０  中継カード
３１，２３１，３３１，４３１  中継カードＩＣチップ
３２Ａ，３２Ｂ，２３２Ａ，２３２Ｂ，３３２Ａ，３３２Ｂ，４３２Ａ，４３２Ｂ  中継プレート
３３，２３３，３３３，４３３  中継ループアンテナ
３４，３３４  基板
４０，４４０（４４０−１，４４０−２）  ＩＣカード
４１，４４１−１，４４１−２  ＩＣカードＩＣチップ
４２Ａ，４２Ｂ，４４２Ａ−１，４４２Ｂ−１，４４２Ａ−２，４４２Ｂ−２  ＩＣカードプレート
５０，４５０，５５０  組みカード
３３４Ａ  左基板
３３４Ｂ  右基板
３３６  フェライトシート
５０１  ゲームシステム
５２５  ゲーム機制御部
５３０  キャラクタカード
５３１  キャラクタカードＩＣチップ
５３２Ａ，５３２Ｂ  キャラクタカードプレート
５３３  キャラクタカードループアンテナ
５４０  アイテムカード
５４１  アイテムカードＩＣチップ
５４２Ａ，５４２Ｂ  アイテムカードプレート
【図１】
0005895502.tif 000002
【図２】
0005895502.tif 000003
【図３】
0005895502.tif 000004
【図４】
0005895502.tif 000005
【図５】
0005895502.tif 000006
【図６】
0005895502.tif 000007
【図７】
0005895502.tif 000008
【図８】
0005895502.tif 000009